【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
複数の部品を結合して構成される構造体において、
前記複数の部品のうち少なくとも一の部品は、突出形成されたボス部と、前記ボス部内に設けられたビス穴と、前記ボス部のビス穴の入り口部分に形成された座グリ形状部とを有し、
前記複数の部品のうち他の部品は、前記ボス部と係合する位置決め穴を有し、
前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とする構造体。
【請求項２】
前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする請求項１の構造体。
【請求項３】
電子写真感光体と、前記電子写真感光体に作用するプロセス手段として、少なくとも現像手段又はクリーニング手段を有し、画像形成装置に着脱自在なプロセスカートリッジにおいて、
前記プロセスカートリッジを構成する構成部品が複数存在し、
前記複数の部品のうち少なくとも一の部品は、突出形成されたボス部と、前記ボス部内に設けられたビス穴と、前記ボス部のビス穴の入り口部分に形成された座グリ形状部とを有し、
前記複数の部品のうち他の部品は、前記ボス部と係合する位置決め穴を有し、前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とするプロセスカートリッジ。
【請求項４】
前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする請求項３のプロセスカートリッジ。
【請求項５】
記録媒体に画像を形成するための画像形成装置において、
画像形成装置を構成する構成部品が複数存在し、
前記複数の部品のうち少なくとも一の部品は、突出形成されたボス部と、前記ボス部内に設けられたビス穴と、前記ボス部のビス穴の入り口部分に形成された座グリ形状部とを有し、
前記複数の部品のうち他の部品は、前記ボス部と係合する位置決め穴を有し、
前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とする画像形成装置。
【請求項６】
前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする請求項５の画像形成装置。
【手続補正２】
【補正対象書類名】明細書
【補正対象項目名】００１４
【補正方法】変更
【補正の内容】
【００１４】
請求項１の発明は、構造体において、複数の部品を結合して構成される構造体において、前記複数の部品のうち少なくとも一の部品は、突出形成されたボス部と、前記ボス部内に設けられたビス穴と、前記ボス部のビス穴の入り口部分に形成された座グリ形状部とを有し、前記複数の部品のうち他の部品は、前記ボス部と係合する位置決め穴を有し、前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とする。
【手続補正３】
【補正対象書類名】明細書
【補正対象項目名】００１５
【補正方法】変更
【補正の内容】
【００１５】
請求項２の発明は、請求項１の構造体において、前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする。
【手続補正４】
【補正対象書類名】明細書
【補正対象項目名】００１６
【補正方法】変更
【補正の内容】
【００１６】
請求項３の発明は、電子写真感光体と、前記電子写真感光体に作用するプロセス手段として、少なくとも現像手段又はクリーニング手段を有し、画像形成装置に着脱自在なプロセスカートリッジにおいて、前記プロセスカートリッジを構成する構成部品が複数存在し、前記複数の部品のうち少なくとも一の部品は、突出形成されたボス部と、前記ボス部内に設けられたビス穴と、前記ボス部のビス穴の入り口部分に形成された座グリ形状部とを有し、前記複数の部品のうち他の部品は、前記ボス部と係合する位置決め穴を有し、前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とする。
【手続補正５】
【補正対象書類名】明細書
【補正対象項目名】００１７
【補正方法】変更
【補正の内容】
【００１７】
請求項４の発明は、請求項３のプロセスカートリッジにおいて、前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする。
【手続補正６】
【補正対象書類名】明細書
【補正対象項目名】００１８
【補正方法】変更
【補正の内容】
【００１８】
請求項５の発明は、記録媒体に画像を形成するための画像形成装置において、画像形成装置を構成する構成部品が複数存在し、前記複数の部品のうち少なくとも一の部品は、突出形成されたボス部と、前記ボス部内に設けられたビス穴と、前記ボス部のビス穴の入り口部分に形成された座グリ形状部とを有し、前記複数の部品のうち他の部品は、前記ボス部と係合する位置決め穴を有し、前記一の部品のボス部に前記他の部品の位置決め穴を係合してビスによって締結した結果、前記座グリ形状部に、前記一の部品と前記他の部品とビスとによって囲まれた空間が形成されるように構成されていることを特徴とする。
【手続補正７】
【補正対象書類名】明細書
【補正対象項目名】００１９
【補正方法】変更
【補正の内容】
【００１９】
請求項６の発明は、請求項５の画像形成装置において、前記一の部品と前記他の部品とをビスによって締結する前に、前記一の部品及び他の部品以外のその他の部品を取り付ける工程を有し、前記その他の部品を前記一の部品に取り付ける際に、前記ボス部を前記その他の部品の位置決めとして利用することを特徴とする。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】